(57)【要約】    本発明は、少なくとも、背もたれと、シートと、それぞれが少なくとも１つの前脚及び後脚からなる第１の脚部と第２の脚部とによって形成されたスタンドとを備える折り畳み式リクライニングアームチェアーに関する。上記脚部ヨークは、シートの座枠部材に締結されるように形成された締結部材を少なくとも部分的に収容するように形成された第１のハウジングを備える少なくとも１つの受容シェルと、上記受容シェルに蝶着され、少なくとも部分的に上記受容シェルの上記第１のハウジングに収容された上記締結部材を少なくとも部分的に隠すように構成されたカバーを１つの面上に備える少なくとも１つのカバーシェルとによって形成されている。
2019534097.tif 000002
【特許請求の範囲】
【請求項１】
背もたれ（１０１）と、
互いに対向するそれぞれ少なくとも１つの第１及び第２の座枠部材（１０２ａ）によって範囲が定められ、上記背もたれに対して蝶着されたシート（１０２）と、
第１の脚部（１０５）と第２の脚部（１０５）とによって形成されたスタンドとを少なくとも備え、
上記各脚部は、それぞれ少なくとも１つの前脚（１０５ａ）と少なくとも１つの後脚（１０５ｂ）とによって形成され、
上記後脚は、上記前脚上に蝶着された端部（１０５ｃ）を有し、
上記スタンドの上記各脚部は、それぞれ上記後脚の摺動を可能にする第１の部分と上記シートの座枠部材に締結された第２の部分とを有する脚部ヨーク（１）を備え、
上記スタンドは、上記各脚部上に上記後脚の摺動を制限する摺動限定手段（１０６、１０７）を備える折り畳み式リクライニングアームチェアー（１００）であって、
上記脚部ヨークは、
少なくとも上記シートの座枠部材に締結されるように形成された締結部材（４）を少なくとも部分的に収容するように形成された第１の受容ハウジング（２ｂ）を備える少なくとも１つの受容シェル（１ｂ）と、
上記受容シェルに蝶着され、少なくとも部分的に上記受容シェルの上記第１の受容ハウジングに収容された上記締結部材を少なくとも部分的に隠すように構成されたカバーを一つの面に備える少なくとも１つのカバーシェル（１ａ）とによって形成されている
ことを特徴とする折り畳み式リクライニングアームチェアー。
【請求項２】
請求項１に記載の折り畳み式リクライニングアームチェアー（１００）において、
上記カバーシェル（１ａ）は、上記締結部材（４）を少なくとも部分的に受容するように形成された第１の補完受容ハウジング（２ａ）をさらに備えている
ことを特徴とする折り畳み式リクライニングアームチェアー。
【請求項３】
請求項２に記載の折り畳み式リクライニングアームチェアー（１００）において、
上記第１の補完受容ハウジング（２ａ）は、上記カバーシェル（１ａ）のカバーとは反対側の面に配置されている
ことを特徴とする折り畳み式リクライニングアームチェアー。
【請求項４】
請求項１乃至３のいずれか１つに記載の折り畳み式リクライニングアームチェアー（１００）において、
上記受容シェル（１ｂ）は、脚部（１０５）の後脚（１０５ｂ）の一部を少なくとも部分的に収容するように形成され、上記後脚の移動を可能にする第２の受容ハウジング（３ｂ）を備えている
ことを特徴とする折り畳み式リクライニングアームチェアー。
【請求項５】
請求項４に記載の折り畳み式リクライニングアームチェアー（１００）において、
上記カバーシェル（１ａ）は、上記受容シェル（１ｂ）の第２の受容ハウジング（３ｂ）に少なくとも部分的に収容された上記後脚（１０５ｂ）を少なくとも部分的に受容するように形成された第２の補完受容ハウジング（３ａ）を備えている
ことを特徴とする折り畳み式リクライニングアームチェアー。
【請求項６】
請求項１乃至５のいずれか１つに記載の折り畳み式リクライニングアームチェアー（１００）において、
上記カバーシェル（１ａ）は、上記受容シェル（１ｂ）に回転可能に取り付けられている
ことを特徴とする折り畳み式リクライニングアームチェアー。
【請求項７】
請求項１乃至６のいずれか１つに記載の折り畳み式リクライニングアームチェアー（１００）において、
上記受容シェル（１ｂ）は、上記カバーシェル（１ａ）に形成された補完部材（６）と協働するように構成された少なくとも１つのピボット突起（５）を備えている
ことを特徴とする折り畳み式リクライニングアームチェアー。
【請求項８】
請求項７に記載の折り畳み式リクライニングアームチェアー（１００）において、
上記カバーシェル（１ａ）は、上記受容シェルの少なくとも１つの上記ピボット突起と協働するように形成された、好ましくはタブ（６）の形状の少なくとも１つの補完部材を備えている
ことを特徴とする折り畳み式リクライニングアームチェアー。
【請求項９】
請求項１乃至８のいずれか１つに記載の折り畳み式リクライニングアームチェアー（１００）において、
上記カバーシェル（１ａ）は、上記受容シェル内に形成された補完閉塞部材（８）と協働するように構成された上記脚部ヨーク（１）の閉塞部材（７）を備えている
ことを特徴とする折り畳み式リクライニングアームチェアー。
【請求項１０】
請求項１乃至９のいずれか１つに記載の折り畳み式リクライニングアームチェアー（１００）において、
各脚部（１０５）上の上記摺動限定手段は、
上記前脚（１０５ａ）付近に蝶着された第１端部（１０６ａ）と上記脚部ヨーク（１）付近に蝶着された第２端部（１０６ａ）とを有する接続ロッド（１０６）と、
上記後脚に固定され、上記第２端部の近傍において上記接続ロッドに当接するように形成された部材（１０７）とを備えている
ことを特徴とする折り畳み式リクライニングアームチェアー。
【請求項１１】
請求項１０に記載のアームチェアー（１００）において、
上記受容シェル（１ｂ）は、上記部材（１０７）を受容するように形成された受容領域（１０８）を備えている
ことを特徴とするアームチェアー。
【発明の詳細な説明】
【技術分野】
【０００１】
本発明は、家具の分野、特に、少なくとも背もたれと足のせ台とを備える折り畳み式リクライニングアームチェアー又は折り畳み式チェアーの分野に関する。
【背景技術】
【０００２】
仏国特許発明第２７２１８１１号明細書には、このようなアームチェアーの一例が記載されている。この文献には、背もたれを構成するフレームと、上記背もたれフレームの下端近傍に蝶着されたシートを構成する平行な２本の座枠部材と、互いに平行で且つ上記シートの座枠部材と平行であって、上記背もたれフレームに蝶着され、それぞれが上記座枠部材に平行な摺動軸を有する２つの肘掛けと、２つの枝部が座枠部材の端部に蝶着された足おき台を構成するＵ字フレームであって、該足おき台フレームの枝部の上端部が上記肘掛けの端部に蝶着されたＵ字フレームと、上記フレームに引掛けられ、弾性手段によって座枠部材まで延伸した布片とを備えたリラックスアームチェアーが記載されている。
【０００３】
上記文献の上記アームチェアーは、さらに前方脚部と後方脚部の２つの脚部によって形成されるスタンドを備え、上記各脚部は、座枠部材に固定された互いに平行な脚によって構成され、上記両脚部は共にヨーク付近で互いに蝶着されており、上記前方脚部の端部は上記摺動軸上を摺動するよう形成されたヨークと上記アームチェアーの位置をブロックする手段とを有し、上記両脚部の脚はそれぞれ上記前方脚部と上記座枠部材の後方端に締結されたヨーク上で蝶着連結ロッドによって互いに連結されているとともに各後方脚部の摺動を可能にするよう形成されている。
【０００４】
これにより、上記背もたれと、上記足おき台と、上記シートの座枠部材と、上記肘掛けの摺動軸とからなる四角形の変形によって、上記背もたれと上記足おき台との間において動作の伝達が可能になる。このような動作が行われている間は、上記スタンド全体、特に、摺動ヨークと座枠部材の後方のヨークは動かず、上記肘掛けは上記背もたれと同時に変位する。
【発明の概要】
【発明が解決しようとする課題】
【０００５】
この例に記載されるように、上記座枠部材の後方のヨークは上記シートの座枠部材に固定されており、上記脚部の上記座枠部材に対する摺動を可能にする。この構成の欠点としては、上記ヨークは、美的観点からすると、完全には満足のいくものではなく、特に、上記ヨークを締結するねじが見えてしまい、アームチェアーの全体的な外観を損ねてしまっている。
【０００６】
本発明の目的は、このような欠点の全て又は一部を克服することである。
【課題を解決するための手段】
【０００７】
本発明の対象の一つは、
背もたれと、
互いに対向するそれぞれ少なくとも１つの第１及び第２の座枠部材によって範囲が定められ、上記背もたれに対して蝶着されたシートと、
第１の脚部と第２の脚部とによって形成されたスタンドとを少なくとも備え、
上記各脚部は、それぞれ少なくとも１つの前脚と少なくとも１つの後脚とによって形成され、
上記後脚は、上記前脚に蝶着された端部を有し、
上記スタンドの上記各脚部は、それぞれ上記後脚の摺動を可能にする第１の部分と上記シートの座枠部材に締結された第２の部分とを有する脚部ヨークを備え、
上記スタンドは、上記各脚部上に上記後脚の摺動を制限する摺動限定手段を備える折り畳み式リクライニングアームチェアーであって、
上記脚部ヨークは、少なくとも上記シートの座枠部材に締結されるように形成された締結部材を少なくとも部分的に収容するように形成された第１の受容ハウジングを備える少なくとも１つの受容シェルと、上記受容シェルに蝶着され、少なくとも部分的に上記受容シェルの上記第１の受容ハウジングに収容された上記締結部材を少なくとも部分的に隠すように構成されたカバーを１つの面に備える少なくとも１つのカバーシェルとによって形成されていることを特徴とするものである。
【０００８】
この構成により、シートの座枠部材の高さの各脚部の固定部分が見えなくなり、上記アームチェアーの見た目の美しさが改善される。
【０００９】
本発明の１つの特徴によると、上記カバーシェルは、上記締結部材を少なくとも部分的に受容するように形成された第１の補完受容ハウジングを備えている。
【００１０】
本発明の１つの特徴によると、上記第１の補完受容ハウジングは、目隠しとなるのが好ましく、上記カバーシェルのカバーの反対側の面に配置されている。これにより、上記脚部ヨークが閉じているときには、上記締結部材は、上記脚部ヨーク内に閉じ込められ、見えなくなる。
【００１１】
本発明の１つの特徴によると、上記受容シェルは、第１の受容部を備えた少なくとも１つの受容シェルによって形成された脚部ヨークの後脚の一部を少なくとも部分的に収容するように形成され、上記後脚の移動を可能にする第２の受容ハウジングを備えている。
【００１２】
本発明の１つの特徴によると、上記カバーシェルは、上記受容シェルの第２の受容ハウジングに少なくとも部分的に収容された上記後脚を少なくとも部分的に受容するように形成された第２の補完受容ハウジングを備えている。これにより、上記脚部ヨークが閉じているときには、上記後脚は、摺動自在なまま上記脚部ヨーク内に閉じ込められる。
【００１３】
本発明の１つの特徴によると、上記カバーシェルは、上記受容シェルに回転可能に取り付けられている。
【００１４】
本発明の１つの特徴によると、上記受容シェルは、上記カバーシェルに形成された補完部材と協働するように構成された少なくとも１つのピボット突起を備えている。
【００１５】
有利には、上記ピボット突起は、上記脚部ヨークの横軸に沿って延び、上記受容シェルの両側に突出している。また、上記ピボット突起が沿って延びる横軸は、有利には、脚部の後脚を摺動可能に受容するように形成された第２の受容ハウジングが沿って延びる軸とほぼ平行である。
【００１６】
本発明の１つの特徴によると、各ピボット突起は、上記受容シェルに対して横方向に配置されている。
【００１７】
本発明の１つの特徴によると、上記カバーシェルは、上記受容シェルの少なくとも１つのピボット突起と協働するように形成された、好ましくはタブの形状の少なくとも１つの補完部材を備えている。有利には、上記カバーシェルは、上記受容シェルから突出したピボット突起と協働するように形成され、上記カバーシェルに対して横方向に互いに対向するよう設けられた少なくとも２つのタブを備えている。
【００１８】
本発明の１つの特徴によると、上記受容シェル及び上記カバーシェルは、接続部材、好ましくは板ばねによって互いに接続されている。
【００１９】
本発明の１つの特徴によると、上記カバーシェルは、上記受容シェル内に形成された補完閉塞部材と協働するように構成された上記脚部ヨークの閉塞部材を備えている。
【００２０】
本発明の１つの特徴によると、上記閉塞部材は、上記カバーシェルに対して突出している。有利には、上記閉塞部材は、上記脚部ヨークが沿って延びる長手方向軸に対して交差する軸、より好ましくはほぼ垂直な軸に沿って延びている。
【００２１】
本発明の１つの特徴によると、上記閉塞部材は、自由端に、上記補完閉塞部材と協働するように形成された保持部材を有している。
【００２２】
本発明の１つの特徴によると、上記閉塞部材は、自由端に、上記補完閉塞部材に形成された開口部と協働するように形成された保持部材を有している。
【００２３】
本発明の１つの特徴によると、上記補完閉塞部材は、上記受容シェルの第２ハウジングの上方に形成されている。
【００２４】
本発明の１つの特徴によると、上記補完閉塞部材は、上記カバーシェルの閉塞部材と協働するように形成された開口部を備えている。
【００２５】
本発明の他の１つの特徴によると、上記カバーシェルは、上記第１の補完受容ハウジングの近傍に配置され、上記受容シェル内に形成された窪みと協働する少なくとも１つのガイドブレードを備えている。
【００２６】
上記カバーシェルは、上記第１の補完受容ハウジングの両側に配置される２つのガイドブレードを備えることが好ましい。
【００２７】
本発明の他の１つの特徴によると、上記カバーシェルは、上記受容シェル上に形成された補完保持部材と協働するように形成された少なくとも１つの保持部材を備えている。
【００２８】
本発明の１つの特徴によると、上記保持部材は、好ましくはフック形状を有する自由端を備えている。
【００２９】
本発明の１つの特徴によると、上記受容シェルは、上記カバーシェル上に形成された保持部材と協働するように形成された補完保持部材を備えている。
【００３０】
本発明の１つの特徴によると、上記補完保持部材は、突起部を備え、上記保持部材の自由端の形状は、上記補完保持部材の突起部と係合するように形成されている。
【００３１】
本発明の１つの特徴によると、各脚部上の上記摺動限定手段は、上記前脚付近に蝶着された第１端部と上記脚部ヨーク付近に蝶着された第２端部とを有する接続ロッドと、上記後脚に固定され、上記第２端部の近傍において上記接続ロッドに当接するように形成された部材とを備えている。上記受容シェルは、上記ストッパを形成する上記部材を受容するように形成された受容領域を有することが好ましい。
【００３２】
本発明の１つの特徴によると、上記アームチェアーは、上記背もたれに蝶着され、それぞれ摺動軸を有する平行な肘掛けをさらに備えている。
【００３３】
本発明の１つの特徴によると、上記アームチェアーは、上記シート及び上記肘掛けに対して蝶着された２つの枝部を有する足おき台をさらに備えている。
【００３４】
本発明の１つの特徴によると、上記アームチェアーは、少なくとも上記背もたれ、及び／又は上記シート、及び／又は上記足おき台を覆うように形成された伸張された布片をさらに備えている。
【図面の簡単な説明】
【００３５】
本発明は、以下に記載する本発明の実施形態によってよりよく理解される。以下に記載する実施形態は、本発明をなんら限定しない例示であり、概略的な図面を参照し説明される。
【図１】図１は、展開伸張位置における本発明のアームチェアーの側面図である。
【図２】図２は、展開着座位置における本発明のアームチェアーの側面図である。
【図３】図３は、折り畳み中間位置における本発明のアームチェアーの側面図である。
【図４】図４は、折り畳み位置における本発明のアームチェアーの側面図である。
【図５】図５は、本発明のアームチェアーの脚部ヨークの一方側の分解斜視図である。
【図６】図６は、本発明のアームチェアーの脚部ヨークの他方側の分解斜視図である。
【図７】図７は、開放状態の脚部ヨークの一方側の斜視図である。
【図８】図８は、開放状態の脚部ヨークの他方側の断面図である。
【図９】図９は、脚部ヨークが閉じた状態の図７とほぼ同様の斜視図である。
【図１０】図１０は、脚部ヨークが閉じた状態の図８とほぼ同様の断面図である。
【図１１】図１１は、折り畳み位置における本発明のアームチェアーの部分側面図である。
【図１２】図１２は、展開着座位置における本発明のアームチェアーの部分底面図である。
【図１３】図１３は、展開着座位置における本発明のアームチェアーの内部から見た詳細図である。
【発明を実施するための形態】
【００３６】
本発明のアームチェアー１００は、折り畳み可能で傾動するものである。アームチェアー１００は、図１〜図４に示すように、背もたれ１０１と、シート１０２と、第１の脚部１０５及び第２の脚部１０５によって形成されるスタンドとを備えている。
【００３７】
さらに、本発明のアームチェアーは、背もたれ１０１に蝶着され、それぞれが摺動軸を有する互いに平行な肘掛け１０４と、シート１０２と肘掛け１０４とに対して蝶着された２つの枝部を備えた足おき台１０３と、背もたれ１０１とシート１０２と足おき台１０３とを覆うために伸張された布片（図示せず）とを備えている。
【００３８】
本発明によると、アームチェアー１００のシート１０２は、互いに平行に且つ互いに対向するように配置された少なくとも１つの第１の座枠部材１０２ａと少なくとも１つの第２の座枠部材１０２ａとによって範囲が定められている。図１及び図２に示すように、シート１０２は、背もたれ１０１に対して蝶着されている。
【００３９】
図１〜図４に示す例において、各脚部１０５は、少なくとも１つの前脚１０５ａと少なくとも１つの後脚１０５ｂとによって形成されている。各脚部１０５の各後脚１０５ｂは、同脚部１０５の前脚１０５ａに蝶着して設けられた平坦な端部１０５ｃを備えている。スタンドの各脚部１０５は、後脚１０５ｂの摺動を可能にする第１部分とシート１０２の座枠部材１０２ａに締結された第２部分とを備える脚部ヨーク１を備えている。
【００４０】
図５及び図６に示すように、脚部ヨーク１は、シート１０２の座枠部材１０２ａに締結されるように形成された締結部材４の受容ハウジング２ｂを備える少なくとも１つの受容シェル１ｂと、受容シェル１ｂに対して蝶着された少なくとも１つのカバーシェル１ａとによって形成されている。
【００４１】
カバーシェル１ａは、図５に示すように、受容シェル１ｂの受容ハウジング２ｂ内に収容された締結部材４を覆うカバーを備えている。カバーシェル１ａは、少なくとも締結部材を部分的に受容するように形成された補完受容ハウジング２ａをさらに備えている。補完受容ハウジング２ａは、図６に示すように、目隠しとなるのが好ましく、カバーシェル１ａのカバーとは反対側の面に配置されている。これにより、図１０に示すように、脚部ヨークが閉じているときは、締結部材４は上記脚部ヨーク１内に閉じ込められる。
【００４２】
特に図７及び図８に示すように、カバーシェル１ａは、受容シェル１ｂ上に軸Ｘ−Ｘ周りに回転可能に設けられている。また、受容シェル１ｂは、それぞれ、カバーシェル１ｂ上に形成されたタブ６の形状の補完部材と協働するよう形成された２つのピボット突起５を備えている。
【００４３】
特に図６に示すように、各ピボット突起５は、脚部ヨーク１の横軸Ｘ−Ｘに沿って、受容シェル１ｂの両側に突出して延びている。有利には、各ピボット突起５が沿って延びる横軸Ｘ−Ｘは、脚部１０５の後脚１０５ｂを摺動可能に受容するように形成された第２の受容ハウジング３ｂが沿って延びる軸にほぼ平行である。
【００４４】
図６に示すように、カバーシェル１ａは、それぞれがピボット突起５と協働するように形成されたタブ６の形状の２つの補完部材６を備えている。２つのタブ６は、カバーシェル１ａに対して横方向に互いに対向して配置されている。
【００４５】
さらに、受容シェル１ｂとカバーシェル１ａは、接続部材、好ましくは板ばねによって互いに接続されていてもよい。
【００４６】
本発明によれば、図５〜図１０に示すように、受容シェル１ｂは、脚部１０５の後脚１０５ｂを摺動可能に受容するように形成された第２の受容ハウジング３ｂをさらに備えている。有利には、カバーシェル１ａは、受容シェル１ｂの第２の受容ハウジング３ｂに収容された後脚１０５ｂを少なくとも部分的に受容するように形成された第２の補完受容ハウジング３ａを備えている。これにより、脚部ヨークが閉じているとき、図１０に示すように、後脚１０５ｂは脚部ヨーク１内に閉じ込められる。
【００４７】
有利には、カバーシェル１ａは、脚部ヨーク１の閉塞部材７を備え、閉塞部材７は、特に図８及び図１０に示すように、受容シェル１ｂ内に形成された補完閉塞部材８と協働するように構成されている。
【００４８】
閉塞部材７は、カバーシェル１ａに対して突出している。より詳しくは、閉塞部材７は、図１０に示すように、脚部ヨーク１が沿って延びる長手方向軸に対して交差する軸、好ましくはほぼ垂直な軸に沿って延びている。閉塞部材７は、自由端に、補完閉塞部材８と、具体的には、補完閉塞部材８に形成された開口部８ａと協働するように形成された保持部材を有している。
【００４９】
補完閉塞部材８は、図８及び図１０に示すように、受容シェル１ｂの第２ハウジング３ｂの上方に形成されている。補完閉塞部材８は、カバーシェル１ａの閉塞部材７と協働するように形成された開口部８ａを備えている。
【００５０】
図６に示すように、カバーシェル１ａは、第１の補完受容ハウジング２ａの両側に配置された２つのガイドブレード１２をさらに備えている。この２つのガイドブレード１２は、受容シェル１ｂに形成された窪みと協働するよう形成されている。もちろん、これらのガイドブレードの数は、１つの選択肢であり、２つよりも多くても少なくてもよい。
【００５１】
さらに、特に図７に示す例において、カバーシェル１ａは、受容シェル１ｂ上に形成された補完保持部材１０と協働するように形成された保持部材１１を備えている。保持部材１１は、図７に示すように、フック形状を有する自由端を備えていることが好ましい。
【００５２】
受容シェル１ｂは、カバーシェル１ａ上に形成された保持部材１１と協働するように形成された補完保持部材１０を備えている。図１０に示すように、補完保持部材１０は、突起部を備えており、保持部材１１の自由端は、補完保持部材１０の突起部と係合する形状に形成されている。
【００５３】
図５〜図１０のすべてに示すように、カバーシェル１ａは、カバーで構成される面と、それぞれ受容シェル１ｂの補完的な構成要素と協働するように形成された上述の全ての構成要素を有する反対側の面とを備えている。
【００５４】
さらに、アームチェアー１００は、各脚部１０５上に、接続ロッド１０６とストッパを形成する部材１０７とを使用して形成される後脚１０５ｂの摺動を制限するための摺動限定手段を備えている。
【００５５】
接続ロッド１０６は、前脚１０５ａ付近に蝶着された第１端部１０６ａと脚部ヨーク１付近に蝶着された第２端部１０６ｂとを有する。具体的には、第１端部１０６ａは、特に図１２に示すように、前脚１０５ａを貫通する締結部材の周りに曲げられており、第２端部１０６ｂは、図７に示すように、脚部ヨーク１内に収容されるように、締結部材４の周りに曲げられている。
【００５６】
ストッパを形成する部材１０７は、後脚１０５ｂに形成された開口部１１０を貫通する締結ロッド１０９を用いて後脚１０５ｂに締結されている。
【００５７】
アームチェアー１００の展開時は、各後脚１０５ｂは、部材１０７が第２端部１０６ａの近傍に位置する接続ロッド１０６の領域に当接するまで後方に摺動する。そして、アームチェアー１００は安定し、人が座ることができるようになる。
【００５８】
受容シェル１ｂは、部材１０７が接続ロッド１０６に当接する際に、部材１０７を受容するように形成された凹状の受容領域１０８を有するのが有利である。これにより、部材１０７によって単一の接続ロッド１０６に及ぼされる力が集中するのを回避し、脚部ヨーク１と接続ロッド１０６との間にその力を分配することができ、それにより安全性と安定性を高めることができる。
【００５９】
もちろん、本発明は、添付の図面に示した上述の実施形態に限定されない。本発明の範囲から逸脱しない限り、特に、様々な要素の構成に関して、又は、技術的に均等な物に置き換えることにより、変更が可能である。
【図１】
2019534097.tif 000003
【図２】
2019534097.tif 000004
【図３】
2019534097.tif 000005
【図４】
2019534097.tif 000006
【図５】
2019534097.tif 000007
【図６】
2019534097.tif 000008
【図７】
2019534097.tif 000009
【図８】
2019534097.tif 000010
【図９】
2019534097.tif 000011
【図１０】
2019534097.tif 000012
【図１１】
2019534097.tif 000013
【図１２】
2019534097.tif 000014
【図１３】
2019534097.tif 000015
【国際調査報告】
2019534097.tif 000016
2019534097.tif 000017
2019534097.tif 000018
2019534097.tif 000019